(57)【特許請求の範囲】
【請求項１】
マスト軸を有する入れ子式マストアセンブリであって、
複数の入れ子式マスト部であって、各入れ子式マスト部は、軸方向に対向する端部を有し、引き込み位置と延長位置との間で前記マスト軸に沿って互いに軸方向にスライド自在である、前記複数の入れ子式マスト部を有し、
前記入れ子式マスト部は、支持面に固定された基管部と、前記引き込み位置および前記延長位置における最も内側の入れ子部とを含み、
前記最も内側の入れ子部は、前記マストアセンブリの引き込み位置において前記基管部の軸方向端部の少なくとも一部を包囲する筒状缶部を支持するものであり、
前記各入れ子式マスト部は内側鍔部と筒状体とを含むものであり、
前記基管部はその外周面に突出部を含み、前記筒状缶部の側壁は、前記マストアセンブリが前記引き込み位置にあるときに前記突出部を受容するように構成された開口部を含み、それにより、前記最も内側の管部と前記基管部が回転式に連結されるものであり、
前記内側鍔部の外周の長さは前記筒状体の外周の長さと一致するものである、
入れ子式マストアセンブリ。
【請求項２】
請求項１記載の入れ子式マストアセンブリにおいて、前記筒状缶部は円形の頂壁と、前記頂壁の縁部から延在する筒状の側壁とによって画定された空洞を含み、前記空洞は、前記基管部の軸方向端部を当該空洞に近接して受容するようなサイズの内径を有するものである入れ子式マストアセンブリ。
【請求項３】
請求項１または２記載の入れ子式マストアセンブリにおいて、前記突出部および前記開口部はくさび形である入れ子式マストアセンブリ。
【請求項４】
請求項１〜３のいずれか１つに記載の入れ子式マストアセンブリにおいて、前記突出部は固定部材で前記基管部に固定されるものである入れ子式マストアセンブリ。
【請求項５】
請求項１〜４のいずれか１つに記載の入れ子式マストアセンブリにおいて、前記突出部は前記基管部の軸方向端部に隣接しているものである入れ子式マストアセンブリ。
【請求項６】
請求項１〜５のいずれか１つに記載の入れ子式マストアセンブリにおいて、前記内側鍔部は前記筒状体の開口端部に挿入されるように構成された環状体を含み、さらに、前記筒状体の軸方向端面に係合するように構成された径方向外側に延在する肩部を有するものである入れ子式マストアセンブリ。
【請求項７】
請求項１〜６のいずれか１つに記載の入れ子式マストアセンブリにおいて、前記内側鍔部は、少なくとも１つの固定部材で前記筒状体に固定されるものである入れ子式マストアセンブリ。
【請求項８】
請求項７記載の入れ子式マストアセンブリにおいて、前記固定部材はビスを含むものであるれ子式マストアセンブリ。
【請求項９】
請求項１〜８のいずれか１つに記載の入れ子式マストアセンブリにおいて、前記最も内側の入れ子部から始まる各入れ子式マスト部は、各入れ子式マスト部が受容される入れ子式マスト部の軸方向端部開口部の内径よりも小さい最大外径を有するものである入れ子式マストアセンブリ。
【請求項１０】
マスト軸を有する入れ子式マストアセンブリであって、
複数の入れ子式マスト部であって、各入れ子式マスト部は、軸方向に対向する端部を有し、引き込み位置と延長位置との間で前記マスト軸に沿って互いに軸方向にスライド自在である、前記複数の入れ子式マスト部を有し、
前記入れ子式マスト部は、支持面に固定された基管部と、最も内側の入れ子部とを含み、
前記最も内側の入れ子部は、前記マストアセンブリが前記引き込み位置にあるとき、前記基管部の軸方向端部を覆うように構成された筒状入れ子ロックプラットフォームアセンブリを支持し、
前記各入れ子式マスト部は、内側鍔部と筒状体とを含み、前記筒状入れ子ロックプラットフォームアセンブリは、ペイロードプラットフォームと、各前記内側鍔部に形成された対応するノッチと嵌合する１若しくはそれ以上のくさびとを含み、
前記内側鍔部の外周の長さは前記筒状体の外周の長さと一致するものである、
入れ子式マストアセンブリ。
【請求項１１】
請求項１０記載の入れ子式マストアセンブリにおいて、前記内側鍔部は、ビスを含む少なくとも１つの固定部材で前記筒状体に固定されるものである入れ子式マストアセンブリ。
【請求項１２】
請求項１０または１１に記載の入れ子式マストアセンブリにおいて、前記最も内側の入れ子部から始まる各入れ子式マスト部は、各入れ子式マスト部が受容される入れ子式マスト部の軸方向端部開口部の内径よりも小さい最大外径を有するものである入れ子式マストアセンブリ。
【発明の詳細な説明】
【技術分野】
【０００１】
本出願は、２０１５年４月１０日付で出願された米国仮出願第６２／１４６，０８７号の利益を主張し、参照によりその全体が本明細書に組み込まれる。
【０００２】
本実施形態は、入れ子式マストに関する。本発明は、空気圧により作動する入れ子式マストと併用する用途が見出され、特にこの用途に言及して記載される。しかし、本実施形態は、他の同様な用途にも適していることを理解すべきである。
【背景技術】
【０００３】
空気圧により作動する入れ子式マストは、当該技術分野において周知であり、例えば、緊急車両または作業車のような自動車の屋根に取り付けられる。あるいは、取り付け構成は、車両の床を含み、入れ子式マストが車両の屋根を通って延長することを可能にする。マストは、一般に、照明器具などの電気装置を車両の上の高い位置に配置するために使用される。照明器具の効果は、車両周囲の広い場所を照らすことであり、それにより例えば停電中の事故現場や設備工事作業員など、照明の下で緊急処置を行うことができる。空気圧により作動する入れ子式マストは、軽量で引き込み位置において小型であり、取り付けられた車両によって速やかに現場に運搬できるため、そのような用途に特に有利である。空気圧により作動する入れ子式マストは、加圧空気を用いて伸縮し、完全に延長した使用位置では通常垂直であるが、使用位置で傾斜することができる。入れ子式マストを取り付けた車両は、通常、圧縮機と、マスト部を引き込み位置と延長位置との間で移動させるための適切な空気圧制御部を含む。
【０００４】
一般的なマストでは、各入れ子部は、その一端に固定された鍔部を備えた中空の筒状体を含む。鍔部は、入れ子部を隣接する入れ子部に回転式に連結するためのキー溝（またはキー）を含むことができる。鍔部はまた、筒状体を補強することができる。
【０００５】
多くの先行技術のマストは、筒状体から径方向外側に延びる各入れ子部の頂部に鍔部を利用する。そのような鍔部は、多くの場合、入れ子部の筒状体にボルト止めされるか、または他の方法で固定される。これにより、隣接する連結された入れ子部の隣接する（より小さい口径の）筒状体を、より大きな口径の入れ子部内に引き込むことが可能になる。このようにして、各入れ子部は、次に大きな入れ子部に引き込むことができる。しかしながら、鍔部は、特定の入れ子部を引き込むことができる長手方向範囲を制限すると考えられる。すなわち、引き込まれた入れ子部の径方向外側に延びる鍔部は、引き込まれている入れ子部の鍔部に最終的に干渉し、それによりさらなる引き込みを制限する。したがって、完全に引き込まれた状態では、このようなマストは、基本入れ子部の長さと、マストの各追加入れ子部の各鍔部の組み合わされた高さによって一般に決定される高さを有する。
【０００６】
例えば、図１は、車両１２内に取り付けられた基端部を有する従来技術の空気圧により作動する入れ子式マストアセンブリ１０を示す。この点でより詳細には、マストアセンブリ１０は、マスト２４が車両１２の床１４に取り付けられた基部である５つの入れ子式マスト部１６、１８、２０、２２、および２４を含む。他の４つのマスト部２２、２０、１８、および１６は、基部２４からマスト軸Ａに沿って連続して延長し、衛星放送受信用アンテナ２６は、照明が取り付けられ、衛星放送受信用アンテナ２６の電気配線を密封している配線ボックスアセンブリ１７と共にマスト最上部１６の上に示される。図１において、マストアセンブリ１０は、車両の屋根のすぐ上に、完全に延長した位置に実線で示されており、完全に引き込まれた位置に仮想線で示されている。入れ子部の各々は、それぞれの入れ子部を隣接する入れ子部に引き込むことができる範囲を制限する径方向外側に延びる鍔部６４を含むことが理解されよう。
【０００７】
参照による組み込み
本願の受取人に譲渡された米国特許第６，２９０，３７７号明細書、同第５，９８０，０７０号明細書、同第５，７４３，６３５号明細書、同第６，２９９，３３６号明細書、および同第６，７６７，１１５号明細書は、それぞれ本明細書中に参照により援用されているので、当技術分野で知られている空気圧により作動する入れ子式マストは以下に詳細に説明する必要はない。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００６／０２０１０７６号明細書
（特許文献２）  米国特許出願公開第２０１４／０３１１０５７号明細書
（特許文献３）  米国特許第４，３５７，７８５号明細書
（特許文献４）  米国特許第４，５９４，８２４号明細書
（特許文献５）  米国特許第５，８５０，７１３号明細書
（特許文献６）  米国特許第４，５１３，９３８号明細書
（特許文献７）  米国特許第２，１４２，６４７号明細書
（特許文献８）  米国特許第６，２９０，３７７号明細書
（特許文献９）  米国特許第５，９８０，０７０号明細書
（特許文献１０）  米国特許第５，７４３，６３５号明細書
（特許文献１１）  米国特許第６，２９９，３３６号明細書
（特許文献１２）  米国特許第６，７６７，１１５号明細書
（非特許文献）
（非特許文献１）  Ｉｎｔｅｒｎａｔｉｏｎａｌ  Ｓｅａｒｃｈ  Ｒｅｐｏｒｔ  ｄａｔｅｄ  Ｊｕｌｙ  ２０，２０１６
【発明の概要】
【発明が解決しようとする課題】
【０００８】
上述のマストアセンブリは商業的に成功しているが、最近の車両設計の変更により、改良された入れ子式マストの必要性が生じている。例えば、効率を高めるために、車両はより合理化され、場合によってはより小さくなり、マストを取り付けるための利用可能な領域が変更されている。このように、収納時にはより背が低く、かつ従来のものと同じまたは類似の延長された長さを達成するマストを提供することが望ましい。  
【課題を解決するための手段】
【０００９】
本実施形態の一態様によれば、マスト軸を有する入れ子式マストアセンブリは、軸方向に対向する端部を有し、引き込み位置と延長位置との間でマスト軸に沿って互いに軸方向にスライド自在な複数の入れ子式マスト部を有し、前記入れ子式マスト部は支持面に固定されるように構成された基管部と最も内側の入れ子部とを含み、前記最も内側の入れ子部は、マストアセンブリが引き込み位置にあるとき、基管部の軸方向端部の少なくとも一部を包囲するように構成された筒状缶部を支持する入れ子式マストアセンブリが提供される。
【００１０】
一実施形態では、缶部は、円形の頂壁と、頂壁の縁部から延在する筒状の側壁とによって画定された空洞を含み、前記空洞は、前記基管部の軸方向端部を当該空洞に近接して受容するようなサイズの内径を有する。延期基管部は、その外周面に突出部を含み、缶部の側壁は、マストアセンブリが引き込み位置にあるときに突出部を受容するように構成された開口部を含み、それにより、最も内側の管部と基管部を回転式に連結する（ｒｏｔａｔｉｏｎａｌｌｙ  ｉｎｔｅｒｌｏｃｋｉｎｇ）。前記突出部および開口部はくさび形である。前記突出部は、前記基管部に固定部材で固定される。前記突出部は、前記基管部の軸方向端部に隣接している。各入れ子式マスト部は、内側鍔部および筒状体を含むことができる。内側鍔部は、筒状体の開口端部に挿入されるように構成された環状体を含むことができ、内側鍔部は、筒状体の軸方向端面に係合するように構成された径方向外側に延在する肩部を有する。内側鍔部の周囲は、筒状体の周囲と一致することができる。内側鍔部は、ビスのような少なくとも１つの固定部材で筒状体に固定することができる。最も内側の入れ子式マスト部で始まる各入れ子式マスト部は、それが受容される入れ子式マスト部の軸方向端部開口部の内径よりも小さい最大外径を有することができる。
【００１１】
別の態様によれば、マストアセンブリの複数の入れ子式マスト部を回転式に連結する方法は、マストアセンブリの基管部と最も内側の入れ子式マスト部によって支持された缶部材を連結することを含む。連結することは、マストアセンブリが引き込み位置にあるときに、基管部の軸方向端部の上で缶部材の開放端部を入れ子式に伸縮させることを含むことができる。この方法は、基管部の外周面に突出部を設けることを含み、缶部材の開口部と協働して、間の相対回転を制限するのに構成された突出部が提供される。
【００１２】
さらに別の態様によれば、マスト軸を有する入れ子式マストアセンブリは、軸方向に対向する端部を有し、引き込み位置と延長位置との間でマスト軸に沿って互いに軸方向にスライド自在な複数の入れ子式マスト部を有し、入れ子式マスト部は支持面に固定されるように構成された基管部と最も内側の入れ子部とを含み、最も内側の入れ子部は、マストアセンブリが引き込み位置にあるとき、基管部の軸方向端部を覆うように構成された筒状入れ子ロックプラットフォームアセンブリを支持し、各入れ子式マスト部は、内側鍔部と筒状体とを含み、入れ子ロックプラットフォームアセンブリは、ペイロードプラットフォームと、内側鍔部の対応するノッチと嵌合する１若しくはそれ以上のくさびとを含む入れ子式マストアセンブリが提供される。選択的に、前述の実施形態のいずれかにより、内側鍔部の周囲は、筒状体の周囲と一致する。さらに、前述の実施形態のいずれかによれば、内側鍔部は、少なくとも１つの固定部材で筒状体に固定されてもよい。前述の実施形態のいずれかによれば、少なくとも１つの固定部材は、ビスを含むことができる。前述の実施形態のいずれかによれば、最も内側の入れ子式マスト部で始まる各入れ子式マスト部は、それが受容される入れ子式マスト部の軸方向端部開口部の内径よりも小さい最大外径を有してもよい。
【図面の簡単な説明】
【００１３】
【図１】図１は、車両に取り付けた従来技術のマストアセンブリの斜視図である。
【図２】図２は、本開示による例示的なマストアセンブリの側面図である。
【図３】図３は、図１の線Ａ−Ａに沿った断面図である。
【図４】図４は、図３の拡大部分である。
【図５】図５は、部分的に伸びた位置にある図２の例示的なマストアセンブリの側面図である。
【図６】図６は、例示的なマストアセンブリの入れ子式マスト部の断面斜視図である。
【図７】図７は、本開示による内側鍔部の斜視図である。
【図８ａ】図８（ａ）は、引き込み状態にある例示的なマストアセンブリの上面図である。
【図８ｂ】図８（ｂ）は、本開示による例示的な軸受部品の半分の斜視図である。
【図９】図９は、部分的に延長した状態の例示的なマストアセンブリの斜視図である。
【図１０】図１０は、引き込み状態にある例示的なマストアセンブリの斜視図である。
【図１１】図１１は、本開示による入れ子ロックプラットフォームアセンブリの斜視図である。
【図１２ａ】図１２（ａ）は、本開示による内側鍔部の代替実施形態の斜視図である。
【図１２ｂ】図１２（ｂ）は、図１２（ａ）の内側鍔部をマスト部に取り付けた状態の斜視図である。
【図１２ｃ】図１２（ｃ）は、マスト部に取り付けられた内側鍔部の断面図である。
【図１３】図１３は、代替の入れ子ロックシステムの斜視図である。
【図１４】図１４は、図１３の入れ子ロックシステムの側面図である。
【図１５】図１５は、図１４の線Ｂ−Ｂに沿った断面図である。
【図１６】図１６は、マスト上の代替入れ子ロックシステムの斜視図である。
【図１７】図１７は、マスト上の代替入れ子ロックシステムの斜視図である。
【図１８】図１８は、本開示による内側鍔部に係合された入れ子ロックプラットフォームの側面図である。
【図１９】図１９は、内側鍔部に係合された入れ子ロックプラットフォームの別の側面図である。
【図２０】図２０は、代替の入れ子ロックシステムの断面図である。
【図２１】図２１は、引き込み状態のプラットフォームおよび鍔部ロックアセンブリの斜視図である。
【発明を実施するための形態】
【００１４】
残りの図面を参照し、図は本発明の好適な実施形態の説明のみを目的とし、限定を目的とするものではない。図２は、本開示による例示的なマストアセンブリ１００を示す。図３および図４をさらに参照すると、マストアセンブリ１００は、一般に、複数の入れ子式マスト部１０２、１０４、１０６、１０８、１１０、１１２、１１４、および１１６を有する。マスト部１０２、１０４、１０６、１０８、１１０、１１２、１１４、および１１６の各々は、一般に、隣接部および／または基部１１８に入れ子式に受容されることが理解されるであろう。本実施形態は、空気圧により作動するマストに関するものであり、入れ子式マスト部は、加圧空気を使用して入れ子式マスト部１０２、１０４、１０６、１０８、１１０、１１２、１１４、および１１６が互いに、および／または缶部１２０から延長可能なように封止できる。
【００１５】
さらに図５〜７を参照して、入れ子式マスト部１０２、１０４、１０６、１０８、１１０、１１２、１１４、および１１６はそれぞれ、上端部に取り付けられた関連する内側鍔部１３０を有する。各内側鍔部１３０は、関連する入れ子式マスト管の口径に対応する口径を有するが、内側鍔部の特徴は概ね同一である。したがって、単一の内側鍔部１３０について説明するが、内側鍔部の各々は概ね同じ特徴を含むことを理解されたい。
【００１６】
図７に示すように、各内側鍔部１３０は、一般に、入れ子式マスト部の筒状体の開放端部に挿入されるように構成された環状体１３２を有する。内側鍔部１３０は、入れ子式マスト部の筒状体の軸方向端面に係合するように構成された軸方向面１３６を有し、且つ径方向外側に延びるリップ部１３４を含む。環状体１３２の周囲に複数の皿穴１３８が設けられ、ねじ１４０などの適切な固定部材を受容する（図６参照）。皿穴（またはスルーホール）１３８は、一般に、鍔軸受を固定するために使用される。鍔部１３０は、その周囲に完全にねじが切られたスルーホールを備えている。同様に、マスト部は、その周囲にスルーホールを有し、それらの嵌合鍔部のねじが切られたスルーホールと整列する。ねじが切られたスルーホールはねじ１４０を受容し、これにより、鍔部がマスト部に固定される。低背ソケットヘッド押さえねじ１４０は、マスト部のスルーホールを通して鍔部のねじが切られたスルーホールに固定する。完全に固定したとき、押さえねじ１４０の頭部の底面は、鍔部の外周に接して嵌合する。したがって、押さえねじ１４０の頭部は、管部のスルーホールに沈み、「ピン状の」連結部を形成する。したがって、押さえねじのヘッドの外周部と管部スルーホールの周囲部が押さえねじ１４０と管部との間の接点となる。内側鍔部１３０は、金属または複合材料などの任意の適切な材料で作ることができる。内側鍔部１３０は、成形、鋳造、機械加工などの任意の適切な製造プロセスによって製造することができる。
【００１７】
各内側鍔部１３０は、隣接する入れ子式マスト部のキー１４３（図８および図９参照）を受容するための対向するキー溝１４２を有する。キー溝１４２は、環状体１３２の径方向内面に沿って、穴１３８の各対の間で軸方向に延在している。軸受凹部１４４は、環状体１３２の内側径方向表面の周りに周方向に延び、軸受凹部１４４は、環状軸受部品１４５（図７に図示せず）を受容するのに適合している。環状軸受部品１４５は、例えば、ナイロン、アセタールまたはポリアセタール材料のような低摩擦材料とすることができる。
【００１８】
図８（ａ）では、各内側鍔部１３０内に支持された環状軸受部品１４５が示されている。軸受部品１４５は、マストアセンブリ１００の延長／引き込み中に隣接する筒状管部が沿ってスライドすることができる周面を提供することが理解されよう。
【００１９】
図８（ｂ）をさらに参照すると、軸受部品１４５の一部分が分離して示されている。軸受部品１４５は、内周内側鍔部１３０の大部分の周りに延び、隣接する管部の外径のための軸受支持を提供することが理解されよう。さらに、軸受部品１４５は、隣接する管部のキーに対して軸受支持も提供する。この点において、各軸受部品の半分の周方向端面Ｃは、キー溝１４２に隣接して終端することが理解されよう。したがって、図示された実施形態では、軸受部品１４５の各半分の周方向端部Ｃがキー溝１４２の一部を画定する。
【００２０】
図５に戻って、マストアセンブリ１００は、最も内側の入れ子式マスト部１１６に固定されたスタブ１４８によって支持された筒状ペイロード支持部１４６（本明細書では缶部とも呼ばれる）を含む。缶部１４６は、マストアセンブリ１００が完全に引き込まれたときに、引き込まれた入れ子式マスト部１０２、１０４、１０６、１０８、１１０、１１２、１１４、および１１６の上に入れ子にするように構成され、基部１１８の上部を取り囲むように構成される。缶部１４６は、マストアセンブリ１００が完全に引き込まれたときに基管部１１８と回転式に連結するように構成され、それによって入れ子式マスト部１０２、１０４、１０６、１０８、１１０、１１２、１１４、および１１６の間の相対回転を制限する。
【００２１】
図９および図１０に移って、入れ子ロック部材１５０は、一対の固定部材１５２によって基管部１１８の径方向の外周に取り付けられている。他の実施形態では、入れ子ロック部材１５０は、他のタイプの固定部材で基管部１１８に固定することができ、または基管部１１８と一体に形成することができる。入れ子ロック部材１５０は、缶部１２０に面する狭い端部を有する概ねくさび形であり、対応するくさび形の開口部またはスロット１５６を有する。スロット１５６は、側壁１６０の間に延在する底壁１５８を含む。したがって、缶部１４６、入れ子ロック部材１５０、固定部材１５２、スロット１５６、底壁１５８、および側壁１６０は、一般に、缶型入れ子ロックシステムを定義する。
【００２２】
マストアセンブリ１００が完全に引き込むと、スロット１５６の側壁１６０が入れ子ロック部材１５０の対向する側部と係合し、それにより缶部１４６の回転を制限することが理解されよう。缶部は最も内側の管に固定されており、全ての管が一緒に鍵を掛けられているので、管の各々はそれらの間の相対回転に対してロックされる。スロット１５６の底壁１５８は、入れ子ロック部材１５０の頂部に当接し、いくつかの実施形態では、マストアセンブリ１００のさらなる引き込みを制限するストッパとして機能する。
【００２３】
いくつかの実施形態では、入れ子ロック部材１５０およびスロット１５６は、他の形状を有することができる。さらに、図示された実施形態は、互いにほぼ対向する２つの入れ子ロック部材１５０を含むが（図５参照）、単一の入れ子ロック部材または２つ以上の入れ子ロック部材を使用することができる。別の実施形態では、入れ子ロック部材１５０は、基管部の軸方向端部に対する軸方向位置を調整できるように基管部に調整可能に固定される。例えば、入れ子ロック部材１５０は、マストアセンブリ１００が完全に引き込む前または後に、缶部１４６が入れ子ロック部材１５０と係合するように調整することができる。この目的のために、入れ子ロック部材１５０には、１若しくはそれ以上の固定部材１５２が通過するスロットを設けることができる。スロットは、所望に応じて入れ子ロック部材の軸方向位置の調整を可能にすることができる。
【００２４】
ここで、内側鍔部１３０は、入れ子式マスト部の全てを覆い、基管部１１８を部分的に取り囲みながら、缶部１４６が比較的短い軸方向範囲を有し、低背入れ子構成を容易にすることを理解されたい。缶部１４６の軸方向範囲を最小にすることによって、缶部１４６の重量が最小限に抑えられ、それによってマストペイロードが最大化される。一実施形態では、５０フィートの延長高さを有するマストは、３インチ（例えば、２．８７５インチ）未満の軸方向長さを有する缶部１４６を含む。
【００２５】
入れ子式マスト部を回転式に連結することに加えて、缶部１４６は、マストアセンブリ１００が格納（引き込み）状態にあるとき、風雨からの保護を提供し、水分および／または汚染物質の侵入を低減する。したがって、缶部１４６と基管部（図示せず）との間を封止するために、適切な封止部品またはガスケットを設けることができる。缶部１４６はまた、照明器具および他のタイプの電気装置などのペイロードを固定するための拡大された表面を提供する。
【００２６】
マスト部１０２、１０４、１０６、１０８、１１０、１１２、１１４、および１１６および基部１１８と共に使用するための入れ子ロックシステム、すなわちプラットフォームおよび鍔部入れ子ロックシステム２００の代替実施形態が、図１１〜２０に示され以下に議論される。プラットフォームおよび鍔部入れ子ロックシステムの機能の１つは、マストの中心軸の周りのマスト管セット間の回転スロープを排除することである。
【００２７】
図１１および図１２を参照すると、プラットフォームおよび鍔部入れ子ロックシステム２００を構成する２つの主要部品は、入れ子ロックプラットフォームアセンブリ２１０および内側鍔部２１２である。入れ子ロックプラットフォームアセンブリ２１０は、ペイロードプラットフォーム２１４およびくさび２１６を含む。内側鍔部２１２は、一対のノッチ２２０を含む。
【００２８】
入れ子ロックプラットフォームアセンブリ２１０が内側鍔部２１２と係合するとき、入れ子ロックプラットフォームアセンブリのくさび２１６は、内側鍔部のノッチ２２０と嵌合する。この嵌合プロセスは、頂部の管（図示せず）とその嵌合管（図示せず）との間の回転スロープを排除するのに役立つ。入れ子ロックプラットフォームアセンブリ２１０は、頂部管スタブに取り付けられ、頂部管スタブは、頂部の管に取り付けられる。入れ子ロックプラットフォームアセンブリ２１０は、上述した缶型入れ子ロックシステムと概ね同じ方法でマストに取り付けられる。
【００２９】
図１２をさらに参照すると、複数の入れ子式マスト部（例えば、図５および図６の入れ子式マスト部１０２、１０４、１０６、１０８、１１０、１１２、１１４、および１１６）は、あるいはそれらの上端に取り付けられた関連する内側鍔部２１２を有してもよい。各内側鍔部２１２は、関連する入れ子式マスト管の口径に対応する口径を有するが、内側鍔部の特徴は概ね同一である。したがって、単一の内側鍔部２１２について説明するが、内側鍔部の各々は概ね同じ特徴を含むことを理解されたい。
【００３０】
図１２（ａ）〜（ｃ）に示すように、各内側鍔部２１２は、一般に、入れ子式マスト部の筒状体の開放端部に挿入されるように構成された環状体２２２を有する。内側鍔部２１２は、入れ子式マスト部の筒状体の軸方向端面に係合するように構成された軸方向面２２６を有するリップ部２２４を含む。環状体２２２の周囲に複数の皿穴２２８が設けられ、ねじ２３０などの適切な固定部材を受容する。上記のように、皿穴（またはスルーホール）２２８は一般に、鍔軸受を固定するために使用される。したがって、鍔部２１２は、その周囲に完全にねじが切られたスルーホールを備えている。同様に、マスト部は、その周囲にスルーホールを有し、それらの嵌合鍔部のねじが切られたスルーホールと整列する。ねじが切られたスルーホールはねじ２３０を受容し、これが鍔部をマスト部に固定する。低背ソケットヘッド押さえねじ２３０は、マスト部のスルーホールを通して鍔部のねじが切られたスルーホールに固定する。完全に固定したとき、押さえねじ２３０の頭部の底面は、鍔部の外周に接して嵌合する。したがって、押さえねじ２３０の頭部は、管部のスルーホールに沈み、「ピン状の」連結部を形成する。したがって、押さえねじ２３０と管部との間の接点は、押さえねじのヘッドの外周と管部スルーホールの周囲である。内側鍔部２１２は、金属または複合材料などの任意の適切な材料で作ることができる。内側鍔部２１２は、成形、鋳造、機械加工などの任意の適切な製造プロセスによって製造することができる。各内側鍔部２１２は、隣接する入れ子式マスト部のプラットフォームアセンブリ２１０のくさび２１６（図１８参照）を受容するための対向するノッチ２２０を有する。
【００３１】
入れ子ロックプラットフォームアセンブリ２１０、ペイロードプラットフォーム２１４、およびくさび２１６を含むプラットフォームおよび鍔部入れ子ロックシステム２００が、図１３〜１５にさらに詳細に示されている。図１５に示すように、入れ子ロックプラットフォームアセンブリ２１０は、ペイロードプラットフォーム２１４、くさび２１６、１対のゴムバンパ２２２、４つのロールピン２２４、およびＯリングコード２２６を含む。
【００３２】
Ｏリングコード２２６は、ペイロードプラットフォーム２１４の底面の周りの溝に接着される。Ｏリングコード２２６はマストを封止し、マストが完全に入れ子になったときに、ゴミや水が内部に入るのを防止する。選択的に、前の実施形態のいずれかにより、Ｏリングコード２２６は、入れ子ロックプラットフォームアセンブリ２１０の底面全体を覆うゴムパッドで置き換えることができる。くさび２１６は、ピン２２４およびペイロードプラットフォーム２１４の側部のダブテール特徴によって適所に保持される。ロールピン２２４は、ペイロードプラットフォーム２１４に圧入され、穴（図示せず）を介してくさび２１６の内部で自由に浮動する。これにより、くさび２１６は、ロールピン２２４の軸方向に沿って（すなわち、上下に）自由に移動することができる。ゴムバンパ２２２は、ペイロードプラットフォーム２１４のダブテール天井とくさび２１６の頂部との間に配置される。ゴムバンパ２２２は、ゴムパッド、バネ、ベルビルワッシャ、またはその性質の任意のものであってもよいことを理解されたい。ゴムバンパ２２２は、一般に、バネとして機能し、くさび２１６が内側鍔部２１８のノッチ２２０と係合するとき圧縮する。これによりくさび２１６は「自己調整」することができる。いくつかの実施形態では、くさび２１６およびノッチ２２０は、他の形状を有することができる。さらに、図示された実施形態は、互いにほぼ対向する２つのくさび２１６を含むが（図１３参照）、単一のくさびまたは２つ以上のくさびを使用することができる。ダブテールは、入れ子ロックプラットフォームアセンブリ２１０の２つの対向する側面に切り込まれる。くさび２１６の各々は、同様のダブテール形状を有する。くさび２１６が、入れ子ロックプラットフォームアセンブリ２１０から削られたダブテール内に配置されるとき、くさび２１６は、「下」方向に落ちることができないように拘束される。しかし、ゴムパッドやバネなどを圧縮して力を加えた場合、まだ上方向に動ける。
【００３３】
図１６〜１９を参照すると、入れ子ロックプラットフォームアセンブリ２１０は、マストアセンブリが完全に取り込まれたときにペイロードを基部２３０の上部に取り付けるためのプラットフォームとして機能する。図１８および１９は、第１の内側鍔部アセンブリ２３０に係合した入れ子ロックプラットフォームアセンブリ２１０を示す。
【００３４】
図２０および２１は、マストが完全に入れ子になっていることを示す。４つの内側鍔部２３２、２３４、２３６、および２３８が示されている。任意の適切な数の内側鍔部をマストアセンブリに組み込むことができることを理解されたい。入れ子ロックプラットフォーム２１０が新しい内側鍔部、例えば２３２に係合すると、現在の内側鍔部、例えば２３４が入れ子ロックプラットフォームから係合解除される。入れ子ロックプラットフォーム２１０は、入れ子ロックプラットフォームが１つの鍔部から次の鍔部に渡される場合を除いて、一度に１つの内側鍔部アセンブリにのみ係合されることが理解されるべきである。
【００３５】
最も外側の管の内側鍔部は、入れ子ロックプラットフォームアセンブリと係合することに留意されたい。他の全ての管は、最も外側の鍔部の下でずらして配置されている。
【００３６】
本開示の例示的なマストは、通常、同じ延長された長さの従来技術のマストと比較して、より短い入れ子になった高さを有することが理解されるべきである。さらに、缶型入れ子ロックシステムならびにプラットフォームおよび鍔部入れ子ロックシステムの両方は、入れ子式マスト部の回転式連動および風雨からの保護の両方を提供することができる。
【００３７】
例示的な実施形態について、好適な実施形態を参照して説明した。前述の詳細な説明を読み理解すれば、他者も変更形態および修正形態を考案できるであろう。前記例示的な実施形態は、そのような変更形態および修正形態が添付の請求項またはその均等物の範囲内である限り、それらの変更形態および修正形態を全て含むものと解釈されるよう意図されている。
【図１】
0006542911.tif 000002
【図２】
0006542911.tif 000003
【図３】
0006542911.tif 000004
【図４】
0006542911.tif 000005
【図５】
0006542911.tif 000006
【図６】
0006542911.tif 000007
【図７】
0006542911.tif 000008
【図８ａ】
0006542911.tif 000009
【図８ｂ】
0006542911.tif 000010
【図９】
0006542911.tif 000011
【図１０】
0006542911.tif 000012
【図１１】
0006542911.tif 000013
【図１２ａ】
0006542911.tif 000014
【図１２ｂ】
0006542911.tif 000015
【図１２ｃ】
0006542911.tif 000016
【図１３】
0006542911.tif 000017
【図１４】
0006542911.tif 000018
【図１５】
0006542911.tif 000019
【図１６】
0006542911.tif 000020
【図１７】
0006542911.tif 000021
【図１８】
0006542911.tif 000022
【図１９】
0006542911.tif 000023
【図２０】
0006542911.tif 000024
【図２１】
0006542911.tif 000025